(57)【要約】  注出可能な食品製品を入れ、少なくとも１つの除去可能部分７を有する密封包装容器１のための開口装置３を提供する。開口装置３は、注ぎ開口部１１を画定し、包装容器１の除去可能部分７の周りに固定可能な締付け部分１７を有するフレーム１０と、フレーム１０に嵌合されて注ぎ開口部１１を閉じ、食品の流出を可能にするために注ぎ開口部１１から除去可能であるキャップ１２と、注ぎ開口部１１に係合し、除去可能部分７の直接固定可能であり、除去可能部分７を包装容器１から少なくとも部分的に分離するために注ぎ開口部１１から除去可能である定着部分１３とを含み、定着部分１３は、破断可能な連結手段２３によってフレーム１０に一体的に連結され、キャップ１２を注ぎ開口部１１から除去するときにキャップと共に移動するようにキャップ１２に連結されている。
2008510661.tif 000002
【特許請求の範囲】
【請求項１】
注出可能な食品製品を入れ、少なくとも１つの除去可能部分（７）を有する密封包装容器（１）のための開口装置（３）であって、
注ぎ開口部（１１）を画定し、前記包装容器（１）の除去可能部分（７）の周りに固定可能な締付け部分（１７）を有するフレーム（１０）と、
前記フレーム（１０）に嵌合されて前記注ぎ開口部（１１）を閉じ、食品の流出を可能にするために前記注ぎ開口部（１１）から除去可能であるキャップ（１２）と、
前記注ぎ開口部（１１）に係合し、前記除去可能部分（７）に直接固定可能であり、前記除去可能部分（７）を前記包装容器（１）から少なくとも部分的に分離するために前記注ぎ開口部（１１）から除去可能である定着部分（１３）とを含む開口装置（３）であって、
前記定着部分（１３）が、破断可能な連結手段（２３）によって前記フレーム（１０）に一体的に連結され、キャップ（１２）を前記注ぎ開口部（１１）から除去するときにキャップと共に移動するように前記キャップ（１２）に連結されていることを特徴とする装置。
【請求項２】
前記定着部分（１３）が前記フレーム（１０）と共に一体として形成され、続いて前記キャップ（１２）に嵌合されることを特徴とする請求項１に記載の装置。
【請求項３】
前記フレーム（１０）が、前記定着部材（１３）の周りに延在して前記除去可能部分（７）の周囲部分の固定されているさらに別の締付け部分（１８）を含むことを特徴とする請求項１又は２に記載の装置。
【請求項４】
前記フレーム（１０）のさらなる締付け部（１８）がフレーム形状であり、前記注ぎ開口部（１１）を少なくとも部分的に画定し、前記の破断可能な連結手段（２３）が、前記定着部分（１３）の外周と前記のさらなる締付け部分（１８）の内周との間に延在する若干の連結ブリッジ（２３）を含むことを特徴とする請求項３に記載の装置。
【請求項５】
前記キャップ（１２）が、前記注ぎ開口部（１１）を閉じるための閉鎖部分（１９）と、前記閉鎖部分（１９）から前記注ぎ開口部（１１）を通じて突き出て、自由端部（２２）において前記定着部分（１３）に連結された少なくとも２つのタブ（２１）を含むことを特徴とする請求項１から請求項４までのいずれか一項に記載の装置。
【請求項６】
注出可能な食品製品を入れ、少なくとも１つの除去可能部分（７）を有し、請求項１から請求項５までのいずれか一項に記載されて前記除去可能部分（７）に適用される開口装置（３）を有する密封包装容器（１）。
【請求項７】
請求項１から請求項５までのいずれか一項に記載の開口装置（３）を形成して、該開口装置（３）を、少なくとも１つの除去可能部分（７）を有するシート包装材料（２）に適用する方法であって、
破断可能な連結手段（２３）によって互いに接合された前記フレーム（１０）と前記定着部材（１３）とによって画定される単一体を形成する段階と、
前記キャップ（１２）を形成する段階と、
前記キャップを前記定着部材（１３）に嵌合することによって、前記注ぎ開口部（１１）を閉鎖するために前記キャップ（１２）を前記フレーム（１０）に嵌合する段階と、
こうして形成された全体を前記包装材料（２）に嵌合し、こうして前記フレーム（１０）の締付け部分（１７）は前記除去可能部分（７）の周りに接着し、前記定着部材（１３）は前記除去可能部分（７）に接着する段階とを含むことを特徴とする方法。
【請求項８】
前記キャップ（１２）を前記フレーム（１０）に嵌合するとき、キャップ（１２）の前記定着部材（１３）への連結は純粋に機械的であること、及び前記開口装置（３）を前記包装材料（２）に固定するとき、前記キャップ（１２）は前記定着部材（１３）と共に一体的に作られることを特徴とする請求項７に記載の方法。
【発明の詳細な説明】
【技術分野】
【０００１】
本発明は、注出可能な食品製品を入れる密封包装容器のための改善された開口装置に関する。
【背景技術】
【０００２】
周知のように、果汁、ＵＨＴ（超高温処理）ミルク、ワイン、トマト・ソースなどの多くの流動可能な食品製品は、滅菌されたシート包装材料で作られた包装容器の状態で販売されている。
【０００３】
この形式の包装容器の典型的な実施例は、積層ストリップ包装材料を折り曲げて密封することによって作られたＴｅｔｒａ  Ｂｒｉｋ  Ａｓｅｐｔｉｃ（登録商標）として知られている液体又は流動可能な食品のための平行六面体形状の包装容器である。包装材料は、剛性と強度のための基層を含む多層構造を有し、この基層は、繊維材料、例えば紙の層、又は無機充てん剤入りポリプロピレン材料の層を含むこともあり、両側は熱可塑性材料の層、例えばポリプロピレン薄膜によって覆われている。ＵＨＴミルクなどの長期保存の製品のための防腐処理された包装容器の場合には、包装材料は、熱可塑性材料層の上に重ね合わせた酸素遮断材料層、例えばアルミニウム・フォイルを含み、次いで別の熱可塑性材料層によって覆われ、最終的には食品に接触する包装容器の内面を形成する。
【０００４】
周知のように、この種類の包装容器は完全自動包装機械によって生産され、この機械の上で連続筒が巻取り紙式に給送される包装材料から形成され、包装材料の巻取り紙は包装機械の上で、例えば過酸化水素溶液などの化学滅菌剤を塗付することによって滅菌され、続いてこの化学滅菌剤は包装材料の表面から除去され、例えば加熱によって蒸発し、こうして滅菌された包装材料の巻取り紙は閉鎖された滅菌環境の中に維持され、縦方向に折り曲げられて密封され、垂直筒を形成する。
【０００５】
筒は、滅菌又は滅菌処理された食品製品によって満たされ、密封され、次いで等間隔の断面にそって切られ、ピロー包装体を形成し、これらのピロー包装体は機械的に折り曲げられて、それぞれ完成した、例えば実質的に平行六面体形状の包装容器を形成する。
【０００６】
代替案として、包装材料を切って半製品にすることもでき、これらの半製品は成形スピンドルの上で形成されて包装容器となり、包装容器は食品製品で満たされて密封される。この形式の包装容器の一例は、Ｔｅｔｒａ  Ｒｅｘ（登録商標）の商品名で知られているいわゆる「ゲーブルトップ」包装容器である。
【０００７】
上記の包装容器は通常、再密閉可能な開口装置が嵌合されて、包装容器内部の食品が外部原因物質と接触することを防止し、製品を注ぎ出すことを可能にする。
【０００８】
現在、大部分の通常市販されている開口装置は、食品用の注ぎ開口部を画定して、包装容器の頂部壁の除去可能又は穴あけ可能な部分の周りに嵌合されたフレームと、このフレームに蝶番で付けられ又はねじ込まれて、包装容器を開けるために除去可能であるキャップとを含む。代替案として、別の形式の開口装置、例えばスライドオープン式装置も使用されることが知られている。
【０００９】
包装容器の除去可能な部分を、例えばいわゆる「予め薄層化された」穴、すなわち包装材料の基層を熱可塑性材料の層及び遮断材料の層によって覆う前にこの基層の中に形成された穴によって画定してもよく、熱可塑性材料の層及び遮断材料の層は穴を閉じて密封されて防腐処理された封止を保証するが、又同時に容易に穴あけ可能である。
【００１０】
代替案として、包装材料の全厚を通じて穴を形成し、酸素遮断材料の層を有する熱可塑性材料の小さなシートによって画定される追加のいわゆる「パッチ」で覆ってもよい。
【００１１】
本出願人の特許出願ＥＰ−Ａ−１０８１０５４に記載された特に有利な解決策では、フレームは、包装材料の除去可能部分の周りに固定された環状フランジ付き締付け部分を含み、キャップは、フレームの中の注ぎ開口部を通じて延在し、且つ包装材料にある穴を覆う除去可能部分に直接固定された、好ましくはヒート・シールされた円筒状定着部分を有し、こうして、キャップをフレームから除去するとき、除去可能部分はキャップに取り付けられたままであり、包装容器の頂壁の残りから取り外される。言い替ええれば、包装容器を開封するために、使用者はキャップに作用して、１回の動作でキャップをフレームから取り外して除去可能部分を取り外す。
【００１２】
上記の解決策は、それ以来（本出願人の欧州特許出願番号ＥＰ−Ａ−１３５２８４０に記載されているように）、フレームを変更して、キャップの定着部分の周りに延在する管状円筒形ライナ付きのさらなる締付け部分を形成することによって、さらに改善されており、キャップは、包装材料における穴の縁部を覆い、軸方向一端部において除去可能部分の周縁部に固定されている。
【００１３】
上記の変更は、包装容器の開封及び食品製品の流出を一番に改善するものである。すなわち、円筒形ライナ付きの締付け部分を除去可能部分の周辺部に固定することによって、キャップの定着部分は、除去可能部分のさらによく薄層化され径方向にさらに内側の部分に固定され、こうして、注ぎ開口部の周りの包装材料のきれいな取外しを保証する。さらに、円筒形ライナ付きのフレームの締付け部分は剛性対比部分を画定し、これに対して除去可能部分の材料が引き裂かれ、これによって、メタロセンやＬＫ２５などの特に引き裂きが困難な熱可塑性材料を使用するときでも、包装容器の開封を容易にする。
【００１４】
除去可能部分を取り外すと、円筒形ライナ付きの締付け部分は又、穴が食品製品を吸収することも防止し、これは周知のように比較的長い時間（平均して８時間）にわたって包装容器を水平位置の状態にしておくときに発生することがあり、特に果汁などの刺激性食品の場合に開口装置が外れる結果になることがある。
【００１５】
上記の解決策は、有利であり効果的であるが、特に定着部分が除去可能部分に固定される精度に関して、及びしたがって除去可能部分が包装容器から取り外される精度に関して、さらに改善する余地をまだ残している。
【００１６】
すなわち、キャップとフレームとの間の必然的な許容差を仮定すれば、キャップの定着部分は除去可能部分に対して完全に心合せされず、この結果、包装容器を開封するときに除去可能部分の取外しが不完全になる。
【発明の開示】
【発明が解決しようとする課題】
【００１７】
本発明の目的は、上述の欠点に対する簡単で低廉な解決策を提供するために設計された、注出可能な食品製品を入れる密封包装容器のための開口装置を提供することである。
【課題を解決するための手段】
【００１８】
本発明によって、請求項１に定義されているように、流動可能な食品を入れる密封包装容器のための開口装置が提供される。
【００１９】
本発明の好ましい限定しない実施形態を、添付の図面を参照して実施例として以下に説明する。
【実施例】
【００２０】
図１における番号１は、流動可能な食品のための防腐処理した密封包装容器、例えばＴｅｔｒａ  Ｒｅｘ（登録商標）の商品名で通常知られているいわゆる「ゲーブルトップ」頂壁２を有する平行六面体形状の包装容器の全体を示し、この包装容器は、先に詳細に説明したようにシート包装材料から作られ、プラスチック材料で作られて壁２に適用された再密閉可能な開口装置３を有する。
【００２１】
包装容器１（図６〜８）の包装材料は多層構造を有し、図示された実施例では、繊維状材料、例えば紙又は無機充てん剤入りポリプロピレン材料の基層４を含み、基層４は包装容器１の内側及び外側をそれぞれ画定する対向する両側において、熱可塑性材料、例えばポリプロピレンの若干の層と、酸素遮断材料、例えばアルミニウムの少なくとも１層とを含むそれぞれの被覆薄膜５、６によって被覆されている。
【００２２】
開口装置３は、包装容器１の壁２の除去可能部分７の周りに適用され、除去可能部分７は図示された実施例では軸Ａの円形除去可能部分、すなわち包装容器１の残部から分離可能であって食品製品を流出させることができる部分である。
【００２３】
除去可能部分７は、包装材料の基層４を通じて軸Ａの穴８を形成して、層４を被覆薄膜５及び６で積層して穴８を被覆することによって形成されることが好ましい。
【００２４】
図示されていない代替解決策では、除去可能部分７を、包装材料の全厚を通じて穴を形成し、酸素遮蔽材料の層を有する熱可塑性材料の小さなシートによって画定された追加の「パッチ」によって穴を被覆することにより形成してもよい。
【００２５】
とりわけ図２〜８を参照すると、開口装置３は、包装容器１の壁２の除去可能部分７に固定されて軸Ａの円形開口部１１を画定する、外側にねじ切りされた環状フレーム１０であって、いったん穴８が開けられると食品が通って注がれる環状フレーム１０と、フレーム１０とは個別に形成されて、開口部１１を閉鎖する閉位置（図４、５、７）でフレーム１０にねじ付けられるキャップ１２と、開口部１１と係合して、除去可能部分７に直接固定され、キャップ１２に連結される軸Ａの定着部分１３とを含む。包装容器１は、フレーム１０に対してキャップ１２をねじって外す（図８）ことにより開封され、こうして除去可能部分７は、定着部分１３によってキャップ１２に取り付けられたままであり、包装容器１の壁２の残部から分離され、こうして穴８を開く。いったん開封されると、キャップ１２は前記の閉位置とキャップがフレーム１０から分離される開位置（図２、３、６）との間で移動可能である。
【００２６】
とりわけ、フレーム１０は実質的に、包装容器１の壁２に接着剤によってヒート・シールされた又は固定された軸Ａの環状フランジ１５と、壁２に固定された側と反対のフランジ１５の側から直角且つ同軸に、フランジ１５と共に突き出て、内部に開口部１１を画定する円筒形で内部にねじ切りされた環状部分１６とを含む。
【００２７】
とりわけ、部分１６が延在している表面とは反対側の環状表面１７に沿って、フランジ１５が除去可能な部分７の周りに固定され、径方向内縁部から、包装材料の基層４の中に形成された穴８と係合して、端部において除去可能部分７の周辺部分に固定された軸Ａの円筒形環状ライナ１８を画定する。すなわち、環状ライナ１８は、フランジ１５の径方向内縁部から環状部分１６とは反対方向に同軸に突出し、環状部分１６と組み合わさって注ぎ開口部１１を画定する。
【００２８】
こうして、環状ライナ１８は除去可能部分７を取り外すことによって形成された穴８の内縁部を覆い、閉じられた包装容器１が水平位置の状態で残された場合に、前記縁部が食品を吸収することを防止する。
【００２９】
キャップ１２は、開口部１１を閉じるためのディスク状部分１９と、ディスク状部分１９の円形外周縁部から突き出て、フレーム１０の環状部分１６の上にねじ付けられる円筒形の内部にねじ切りされた環状部分２０とを一体的に含む。
【００３０】
キャップ１２は又、環状部分２０の内部でディスク状部分１９から直角に突出する若干の、図示された実施例では３つのタブ２１も一体的に含み、これらのタブ２１は軸Ａの周りに角度的に等間隔をなし、使用中にはフレーム１０の注ぎ開口部１１と係合し、後でさらに詳細に説明するように、これらの自由端部２２において定着部材１３に連結されている。
【００３１】
定着部材１３がフレーム１０と共に一体的に形成されて、キャップ１２をひねってフレーム１０から外したときに破断する若干の図示された実施例では３つの径方向連結ブリッジ２３によってフレーム１０に連結されていることは有利である。
【００３２】
とりわけ、定着部材１３はリング形状で、フレーム１０の環状ライナ１８の径方向内向きに位置し、破断可能な連結ブリッジ２３によってライナ１８に一体的に連結されている。
【００３３】
定着部材１３は又３つの貫通開口部２４も含み、これらの貫通開口部２４は軸Ａに平行なそれぞれの軸を有し、角度的に等間隔をなし、使用中はキャップ１２のタブ２１の自由端部２２によって係合される。
【００３４】
したがって、開口装置３は実質的に、２つの別個の部分、すなわちキャップ１２及びフレーム１０と定着部材１３とによって画定された一体的組立体を含み、これらの部分は個別に射出成形され、次に共に嵌合されて包装容器１の包装材料に固定される。
【００３５】
とりわけ、キャップ１２はフレーム１０環状部分１６の上に押圧され、こうしてタブ２１の自由端部２２は、いかなる種類の機械的結合もなく定着部材１３におけるそれぞれの開口部２４と係合する。
【００３６】
このように形成された開口装置３は次に、例えばホットエア・シールされるか接着剤によって包装材料に固定され、こうしてフランジ１５の環状表面１７は除去可能部分７を取り囲む部分に接着し、環状ライナ１８及び定着部材１３はそれぞれ、除去可能部分７の周辺部分とさらに径方向に内側の部分に接着する。この動作中、キャップ１２のタブ２１の自由端部２２は、それぞれの開口部２４の縁部に接合されることによって定着部材１３と一体的になる。言い換えれば、定着部材１３は先ずフレーム１０と共に一体として形成され、後で開口装置３を包装容器１の包装材料に適用するときキャップ１２及び除去可能部分７と共に一体化される。
【００３７】
包装容器１は、フレーム１０に対してキャップ１２を回転してこれをフレーム１０からひねって外すことによって開封される。キャップ１２は定着部材１３と共に一体となって回転し、連結ブリッジ２３を破断して切り離し、除去可能部分７の定着部材１３に接合された部分に取り付けられたままであり、こうして前記部分を壁２の残部から分離して穴８を開く。とりわけ、除去可能部分７は、定着部材１３と環状ライナ１８との間に挟まれた円形区域に沿ってせん断応力によって引き裂かれ、包装容器１の壁２から完全に除去される。とりわけ、フレーム１０の環状ライナ１８は剛性対比部材を画定し、この剛性対比部材に対向して除去可能部分７の材料は引き裂かれ、こうして、メタロセンやＬＫ２５などの特に引き裂き困難で低密度の熱可塑性材料の薄膜５及び６を使用するときでも、包装容器１をさらに容易に開封させる。
【００３８】
本発明による開口装置３の利点は上記の説明から明らかになろう。
【００３９】
とりわけ、定着部材１３がフレーム１０と共に一体的に形成され、続いてキャップ１２に嵌合されるだけであるから、定着部材１３が除去可能部分７に固定される部分は、開口装置３の組立て許容差によって影響されない。実際に、定着部材１３と環状ライナ１８との間の距離は一定であり、キャップ１２とフレーム１０とのねじ係合許容差とは無関係である。この結果、除去可能部分７は包装容器１の壁２から極めて正確に分離され、こうして包装容器１の開封を容易にし、食品の流出を改善する。
【００４０】
さらに、フレーム１０及び定着部材１３は、一体構成で形成されるので同じ材料で作られ、通常は異なる特性を有するプラスチック材料で作られるフレーム１０とキャップ１２の両方を包装材料に固定しなければならない周知の開口装置とは異なって、開口装置３を、ただ１つのプラスチック材料の特性によって示される最良なものとして壁２に対して封止することができる。
【００４１】
さらに、除去可能部分７は、包装容器１の壁２の残部から、さらによく薄層化された部分において穴８の縁部の径方向内向きに分離されるので、注ぎ開口部１１の内側の包装材料はきれいに除去される。
【００４２】
包装容器１が開封される方法の詳細な説明から明らかになるように、開口装置３の各構成部分は活動機能を実施する。すなわちキャップ１２はフレーム１０の定着部材１３を活動化し、定着部材１３は除去可能部分７を除去する。
【００４３】
最後に、特許出願ＥＰ−Ａ−１０８１０５４及び同ＥＰ−Ａ−１３５２８４０に記載の解決策とは異なり、端部において除去可能部分７に直接固定された円筒形部分とは対照的に、定着部材１３に封止された若干のタブ２１がキャップ１２の上に存在することは、キャップ１２を作るために必要な原材料の量を減少させ、こうして費用を減らし、開口装置３を加熱することによって発生する煙霧を捕獲することとは対照的に消散させて、開口装置３を包装材料に封止する準備となる。
【００４４】
しかし明らかに、添付の特許請求の範囲に定義されているように、保護範囲から逸脱することなく本明細書に図示説明されている開口装置３に変更を行うことができる。
【００４５】
とりわけ、開口装置３は、本明細書に記載されたものと異なってもよく、例えばフレームに対して蝶番式又は滑動式になったキャップを含んでもよく、開口装置を、包装容器１の壁２から除去可能部分７の一部分を取り外すだけのために設計してもよい。
【図面の簡単な説明】
【００４６】
【図１】本発明による再密閉可能な開口装置を有する、注出可能な食品製品のための密封包装容器の頂部分の斜視図である。
【図２】図１の開口装置の拡大分解斜視図である。
【図３】図１の開口装置の拡大部分断面斜視図である。
【図４】閉鎖された配置の図１の開口装置の拡大部分断面斜視図である。
【図５】図４の開口装置の拡大部分断面詳細斜視図である。
【図６】図１の開口装置及びこれが最終的に適用された包装容器の部分によって画定された全体の分解軸方向断面図である。
【図７】開口装置が相対包装容器に適用されて、密封された配置で示す、図６に類似の軸方向断面図である。
【図８】開口装置が相対包装容器に適用されて、開封された配置で示す、図６に類似の軸方向断面図である。
【図１】
2008510661.tif 000003
【図２】
2008510661.tif 000004
【図３】
2008510661.tif 000005
【図４】
2008510661.tif 000006
【図５】
2008510661.tif 000007
【図６】
2008510661.tif 000008
【図７】
2008510661.tif 000009
【図８】
2008510661.tif 000010
【国際調査報告】
2008510661.tif 000011
2008510661.tif 000012